(57)【要約】      （修正有）【課題】安定して異なる規格高さの釘列を押圧することができる釘打ち機のマガジン装置の提供。【解決手段】左マガジンと右マガジンで組成されて一端に銃型空気圧押し出し機構が設けられた釘打ち機のマガジン装置において、左マガジン内面に複数の水平な溝が設けられ、その内部に小バネで付勢される押し棒が設けられて、該押し棒がバネの付勢を受けて水平に移動し、並びに左マガジンの下方内側面に底棒が取り付けられ、右マガジン内側面に長バネで付勢された釘押し板が設けられ、長バネが該釘押し板を押すことにより釘押し板が釘列を押し、以上の構造により、異なる規格高さの釘列が底棒の上方に当接し、この釘列の上部が釘列高さに適合する押し棒下方に当接し、最低位置より高い押し棒が釘列により溝内に押し込まれる。【選択図】図１
0003101023.tif 000002
【実用新案登録請求の範囲】
【請求項１】
一端に銃形の空気圧押し出し機構２が設けられ、左マガジン１１と右マガジン１２で組成され、内部に釘列３が装填され、且つ前方に案内板２１と蓋板２２が取り付けられ、並びに該案内板２１に案内溝２１ａが設けられ、該銃形の空気圧押し出し機構２のパンチピン２３が案内溝２１ａ内をスライドして釘列３を一つずつ押し出す釘打ち機のマガジン装置において、
該左マガジン１１の内面に複数の水平な溝１１ａが設けられ、該溝１１ａ内に小バネ１３で付勢される押し棒１４が設けられて、該押し棒１４の一側に長溝１４ａが設けられ、押し棒１４の別側に溝口１４ｂが設けられ、左マガジン１１の一側に垂直に溝１１ａを貫通する長ピン１５が設けられ、左マガジン１１の別側に溝１１ａを貫通する板ピン１６が設けられ、長ピン１５が押し棒１４の長溝１４ａを貫通し且つ板ピン１６が押し棒１４の溝口１４ｂに当接し、押し棒１４が小バネ１３の付勢を受けて水平移動可能とされ、且つ押し棒１４の底側端外側に突出部１４ｃが設けられ、左マガジン１１の下方内側面に底棒１７が設けられ、異なる規格高度の釘列３が底棒１７の上方に当接し、該釘列３の上は釘列３高度に適合する押し棒１４下方に当接し、また最低位置より高い押し棒１４は釘列３により溝１１ａ内に押し込まれ、
該右マガジン１２の内側面に少なくとも二つのバネ溝１２ａが設けられ、並びに右マガジン１２の内側面に波形の釘押し板４が取り付けられ、該釘押し板４にバネ溝１２ａに対応する凸片４１が設けられ、バネ溝１２ａ内に長バネ４１ａが取り付けられ、且つ該長バネ４１ａが釘押し板４の凸片４１に当接し、長バネ４１ａが該釘押し板４を押圧し、釘押し板４がこれにより釘列３を押圧し、並びに該右マガジン１２が後ろに押されて釘列３が装填される時、該釘押し板４が押し棒１４の突出部１４ｃ上に圧接され、これにより押し棒１４が内縮して左マガジン１１の溝１１ａ内に至り釘列３を装填することができることを特徴とする、釘打ち機のマガジン装置。
【請求項２】
請求項１記載の釘打ち機のマガジン装置において、蓋板２２が上蓋板と下蓋板で組成されたことを特徴とする、釘打ち機のマガジン装置。
【請求項３】
請求項１記載の釘打ち機のマガジン装置において、案内板２１に左マガジン１１に対応する切欠き２１ｂが設けられ、該押し棒１４の末端が切欠き２１ｂ内に当接し、且つ案内板２１の中央に釘列３が押し出される釘溝２１ｃが設けられ、該パンチピン２３の断面に案内板２１の切欠き２１ｂに隣接する間隙ｅがあり、該パンチピン２３の断面の別側は案内板２１の案内溝２１ａをスライドし、且つパンチピン２３の中間に凸部２３ａが設けられ、該凸部２３ａが案内板２１の中間の釘溝２１ｃに挿入され、これにより釘列３を押し出すことを特徴とする、釘打ち機のマガジン装置。
【請求項４】
請求項１記載の釘打ち機のマガジン装置において、左マガジン１１の内面前方に磁石１８が取り付けられ、該磁石１８により釘列３が吸引され、磁石１８の磁力により釘列３を安定させることを特徴とする、釘打ち機のマガジン装置。
【請求項５】
請求項１記載の釘打ち機のマガジン装置において、マガジン装置１の前方の蓋板２２内面に磁石２２ａが取り付けられ、この磁石２２ａの磁力により釘列３を安定させることを特徴とする、釘打ち機のマガジン装置。
【考案の詳細な説明】
【技術分野】
【０００１】
本考案は一種の釘打ち機のマガジン装置に係り、特に、マガジン内に小バネで付勢された複数の押し棒が設けられ、該押し棒がバネの付勢を受けて水平に推移し、異なる位置高度の押し棒が異なる規格高度の釘列を押圧し、異なる規格高度の釘列を安定して押圧することができる釘打ち機のマガジン装置に関する。
【背景技術】
【０００２】
木工作業を行なう時、空気圧式釘打ち機により釘打ちを行なって手作業で釘を打つ面倒と不便を免除して快速に作業を行なうことができる。
【０００３】
木板を組み立てる時の深さはそれぞれに異なり、釘の長さも各種のものがあるため、空気圧式釘打ち機に各種の異なる長さの釘を取り付けられるようにするため、釘を取り付けるマガジン内には押圧高度を調整できる釘溝調整機構が設けられ、釘溝調整機構が列をなす釘列に圧接されることで、釘列が安定して釘押し機構より押し出されて前進する。
【０００４】
釘列の長さには数種類の異なる規格しかなく、もし無段式の方式で釘列を押圧すると、毎回装填時に調整しなければならない。このため釘列を装填する時に面倒で不便であった。
【０００５】
このため特許文献１には右マガジンと左マガジンで組成されたマガジンが記載され、そのうち右マガジンの前端にストッパ片が嵌められ、更に閉じ板が螺子止めされて、閉じ板、右マガジン及びストッパ片の間に一列の釘溝が形成され、右マガジンに複数の縦向きに貫通する滑り溝が設けられ、右マガジン底端より押さえバネ板が延伸されている。また左マガジン内に複数の、交錯設置され且つ左マガジンを貫通するバネ収容孔が右マガジンの滑り溝に対応するよう設けられ、各バネ収容孔に左マガジンを貫通する収容溝が設けられ、このバネ収容孔内にバネが収容され、該バネの上端が押しピンに嵌め込まれ、そのうち、凹溝に隣接する主押しピンに側溝が設けられ、該側溝にＬ形状を呈する釘押し片が挿入され、該釘押し片に係止面が凹設され、押しピン端面の収容孔に押し片の延伸片が嵌め込まれ、押し片が収容溝内に置かれてバネの押圧を受けて上向きにスライドし、該押し片の延伸片の上端に係止面が形成されている。該左マガジンの上端近くに貫通溝が設けられ、該貫通溝にＬ形を呈する限位片の釘押し片と押し片の係止面による係止限位による脱落防止に供され、該左マガジンの底端に閉じ板が螺子止めされて左マガジン底端が閉じられ、該左マガジンが右マガジン内に挿入され、並びに弾性片により弾性嵌合される。
【０００６】
各押し片は縦向きのバネの押圧を受け、各押し片は左マガジンの収容溝に沿って前後にスライドし、最短の釘列を取り付けるなら、釘列は僅かに一つの押し片により押圧され、最長の釘列を取り付けるなら、この釘列は四つの押し片により押圧され、これにより異なる長さの釘列が取り付けられ、即ち釘列の受ける推力に違いがあり、このため釘列をせん断し且つ押し出す釘押し機構の必要とする推力が異なり、最大推力により最長の釘列を押す場合、最短の釘列に対してはせん力が過大であり、反対に最も短い釘列を基準とすると、最長の釘列をせん断することができず、これにより使用上、理想的でない部分があり、改善が求められている。
【０００７】
【特許文献１】台湾特許公告第４２４６５３号明細書
【考案の開示】
【考案が解決しようとする課題】
【０００８】
本考案は上述の周知の定高度で釘列を押圧できる釘打ち機の欠点を鑑み、一種の釘打ち機のマガジン装置を提供する。それはマガジン装置の一端に銃形の空気圧押し出し機構が設けられ、マガジンが左マガジンと右マガジンで組成されている。本考案の特徴は、左マガジン内面に複数の水平な溝が設けられ、その内部に小バネで付勢される押し棒が設けられて、該押し棒がバネの付勢を受けて水平に移動し、並びに左マガジンの下方内側面に底棒が取り付けられ、右マガジン内側面に長バネで付勢された釘押し板が設けられ、長バネが該釘押し板を押すことにより釘押し板が配列された釘列を押し、以上の構造により、異なる規格高さの釘列が底棒の上方に当接し、この釘列の上部が釘列高さに適合する押し棒下方に当接し、最低位置より高い押し棒が釘列により溝内に押し込まれ、安定して異なる規格高さの釘列を押圧することができることを特徴とする。
【０００９】
釘打ち機のマガジン装置内に複数の小バネで付勢された押し棒が設けられて該押し棒がバネの付勢により水平移動することにより、異なる位置高度の押し棒が異なる規格高度の釘列に圧接され、安定して異なる規格高度の釘列を押圧する。
【課題を解決するための手段】
【００１０】
請求項１の考案は、一端に銃形の空気圧押し出し機構２が設けられ、左マガジン１１と右マガジン１２で組成され、内部に釘列３が装填され、且つ前方に案内板２１と蓋板２２が取り付けられ、並びに該案内板２１に案内溝２１ａが設けられ、該銃形の空気圧押し出し機構２のパンチピン２３が案内溝２１ａ内をスライドして釘列３を一つずつ押し出す釘打ち機のマガジン装置において、
該左マガジン１１の内面に複数の水平な溝１１ａが設けられ、該溝１１ａ内に小バネ１３で付勢される押し棒１４が設けられて、該押し棒１４の一側に長溝１４ａが設けられ、押し棒１４の別側に溝口１４ｂが設けられ、左マガジン１１の一側に垂直に溝１１ａを貫通する長ピン１５が設けられ、左マガジン１１の別側に溝１１ａを貫通する板ピン１６が設けられ、長ピン１５が押し棒１４の長溝１４ａを貫通し且つ板ピン１６が押し棒１４の溝口１４ｂに当接し、押し棒１４が小バネ１３の付勢を受けて水平移動可能とされ、且つ押し棒１４の底側端外側に突出部１４ｃが設けられ、左マガジン１１の下方内側面に底棒１７が設けられ、異なる規格高度の釘列３が底棒１７の上方に当接し、該釘列３の上は釘列３高度に適合する押し棒１４下方に当接し、また最低位置より高い押し棒１４は釘列３により溝１１ａ内に押し込まれ、
該右マガジン１２の内側面に少なくとも二つのバネ溝１２ａが設けられ、並びに右マガジン１２の内側面に波形の釘押し板４が取り付けられ、該釘押し板４にバネ溝１２ａに対応する凸片４１が設けられ、バネ溝１２ａ内に長バネ４１ａが取り付けられ、且つ該長バネ４１ａが釘押し板４の凸片４１に当接し、長バネ４１ａが該釘押し板４を押圧し、釘押し板４がこれにより釘列３を押圧し、並びに該右マガジン１２が後ろに押されて釘列３が装填される時、該釘押し板４が押し棒１４の突出部１４ｃ上に圧接され、これにより押し棒１４が内縮して左マガジン１１の溝１１ａ内に至り釘列３を装填することができることを特徴とする、釘打ち機のマガジン装置としている。
請求項２の考案は、請求項１記載の釘打ち機のマガジン装置において、蓋板２２が上蓋板と下蓋板で組成されたことを特徴とする、釘打ち機のマガジン装置としている。
請求項３の考案は、請求項１記載の釘打ち機のマガジン装置において、案内板２１に左マガジン１１に対応する切欠き２１ｂが設けられ、該押し棒１４の末端が切欠き２１ｂ内に当接し、且つ案内板２１の中央に釘列３が押し出される釘溝２１ｃが設けられ、該パンチピン２３の断面に案内板２１の切欠き２１ｂに隣接する間隙ｅがあり、該パンチピン２３の断面の別側は案内板２１の案内溝２１ａをスライドし、且つパンチピン２３の中間に凸部２３ａが設けられ、該凸部２３ａが案内板２１の中間の釘溝２１ｃに挿入され、これにより釘列３を押し出すことを特徴とする、釘打ち機のマガジン装置としている。
請求項４の考案は、請求項１記載の釘打ち機のマガジン装置において、左マガジン１１の内面前方に磁石１８が取り付けられ、該磁石１８により釘列３が吸引され、磁石１８の磁力により釘列３を安定させることを特徴とする、釘打ち機のマガジン装置としている。
請求項５の考案は、請求項１記載の釘打ち機のマガジン装置において、マガジン装置１の前方の蓋板２２内面に磁石２２ａが取り付けられ、この磁石２２ａの磁力により釘列３を安定させることを特徴とする、釘打ち機のマガジン装置としている。
【考案の効果】
【００１１】
本考案の釘打ち機のマガジン装置は、異なる規格高さの釘列が底棒の上方に当接し、この釘列の上部が釘列高さに適合する押し棒下方に当接し、最低位置より高い押し棒が釘列により溝内に押し込まれ、安定して異なる規格高さの釘列を押圧することができる。
【考案を実施するための最良の形態】
【００１２】
図１及び図２に示されるように、本考案のマガジン装置１の一端には銃形の空気圧押し出し機構２が設けられ、マガジン装置１は左マガジン１１と右マガジン１２で組成されている。該マガジン装置１内には釘列３を装填できる。且つマガジン装置１の前方に案内板２１と蓋板２２が設けられ、並びに案内板２１に案内溝２１ａが設けられている。銃形の空気圧押し出し機構２のパンチピン２３は案内溝２１ａ内をスライドして釘列３を一つずつ押し出す。本考案の特徴は以下のとおりである。
【００１３】
該左マガジン１１の内面に複数の水平な溝１１ａが設けられ、該溝１１ａ内に小バネ１３で付勢される押し棒１４が設けられて、該押し棒１４の一側に長溝１４ａが設けられ、押し棒１４の別側に溝口１４ｂが設けられ、左マガジン１１の一側に垂直に溝１１ａを貫通する長ピン１５が設けられ、左マガジン１１の別側に溝１１ａを貫通する板ピン１６が設けられ、長ピン１５が押し棒１４の長溝１４ａを貫通し且つ板ピン１６が押し棒１４の溝口１４ｂに当接し、押し棒１４が小バネ１３の付勢を受けて水平移動可能とされ、且つ押し棒１４の底側端外側に突出部１４ｃが設けられている。左マガジン１１の下方内側面に底棒１７が設けられ、異なる規格高度の釘列３が底棒１７の上方に当接し、該釘列３の上は釘列３高度に適合する押し棒１４下方に当接し、また最低位置より高い押し棒１４は釘列３により溝１１ａ内に押し込まれ、これは図３及び図４に示されるとおりである。
【００１４】
該右マガジン１２の内側面に少なくとも二つのバネ溝１２ａが設けられ、並びに右マガジン１２の内側面に波形の釘押し板４が取り付けられ、該釘押し板４にバネ溝１２ａに対応する凸片４１が設けられ、バネ溝１２ａ内に長バネ４１ａが取り付けられ、且つ該長バネ４１ａが釘押し板４の凸片４１に当接し、長バネ４１ａが該釘押し板４を押圧し、釘押し板４がこれにより釘列３を押圧する。並びに該右マガジン１２が後ろに押されて釘列３が装填される時、該釘押し板４が押し棒１４の突出部１４ｃ上に圧接され、これにより押し棒１４が内縮して左マガジン１１の溝１１ａ内に至り釘列３を装填することができる。
【００１５】
以上の構造により、右マガジン１２が後端に向けて押し出され、さらに釘列３が左マガジン１１の底棒１７の上方に装填され、且つ釘列３の上端が左マガジン１１のそのうちの一つの押し棒１４の下方に当接させられ、その後、右マガジン１２が前向きに押されれば、右マガジン１２内側面の釘押し板４が前向きに釘列３を押し、こうして銃形の空気圧押し出し機構２のパンチピン２３が前端の釘列３を一つずつせん断し打ち出す。
【００１６】
さらに、左マガジン１１の溝１１ａ内の押し棒１４が水平に溝１１ａより突出していることから、異なる長さの釘列３を装填するとき、もし釘列３の長さが左マガジン１１の最低位置の押し棒１４下方であっても、直接最低位置の押し棒１４で押圧でき、これは図３に示されるとおりである。また、もし釘列３の長さが最低位置の押し棒１４より高ければ、最低位置の押し棒１４が釘列３により左マガジン１１の溝１１ａ内に押し込まれ、且つ釘列３の上部が上の押し棒１４の下方に当接する。最長の釘列３は左マガジン１１の最高位置の押し棒１４の下方に当接し、図４に示されるように、こうして異なる高度位置の押し棒１４により各種の異なる規格長さの釘列３を押圧できる。
【００１７】
更に、左マガジン１１内側面の各押し棒１４は個別に小バネ１３で水平に付勢され、各押し棒１４は適合する長さの釘列３を押圧でき、且つ釘列３の長さがどのようであっても、釘列３の後端は右マガジン１２内側面の釘押し板４に押され、ゆえに均一な推力を有し、周知の技術の異なる推力による問題を発生せず、ゆえに良好な使用効果を有する。
【００１８】
また、右マガジン１２を後ろに押して釘列３を装填する時、釘押し板４が押し棒１４の突出部１４ｃに圧接され、これにより釘列３を装填できる。右マガジン１２が前向きに押されて合わされる時、該釘押し板４が左マガジン１１の押し棒１４の突出部１４ｃに圧接せず、各押し棒１４が左マガジン１１の溝１１ａ内の小バネ１３の押圧により外向きに滑り出し、並びに装填された釘列３の高さにより押圧する。
【００１９】
図５に示されるように、該案内板２１には左マガジン１１に対応する切欠き２１ｂが設けられ、該押し棒１４の末端が切欠き２１ｂ内に当接し、且つ案内板２１の中央に釘列３が押し出される釘溝２１ｃが設けられている。該パンチピン２３の断面に案内板２１の切欠き２１ｂに隣接する間隙ｅがあり、図６に示されるようであり、また、該パンチピン２３の断面の別側は案内板２１の案内溝２１ａをスライドし、且つパンチピン２３の中間に凸部２３ａが設けられ、該凸部２３ａが案内板２１の中間の釘溝２１ｃに挿入され、これにより釘列３を押し出す。該パンチピン２３の断面は三つの異なる高度寸法を具え、これにより良好な構造強度を具え、これは本考案の別の実施例であり参考までに提示した。
【００２０】
図２に示されるように、左マガジン１１の内面前方には磁石１８が取り付けられ、該磁石１８により釘列３が吸引され、磁石１８の磁力により釘列３を安定させ、前述の釘押し板４に釘列３を推進させ、これは本考案のまた別の実施例であり、参考までに提示した。
【００２１】
また、マガジン装置１の前方の蓋板２２内面にもう一つの磁石２２ａが取り付けられ、この磁石２２ａの磁力により釘列３を安定させることができ、これはさらにまた別の本考案の実施例である。
【００２２】
以上をまとめると、本考案に記載の構造は従来にはなく、且つ確実に上述の効果を達成し、実用新案登録の要件を具備している。
【図面の簡単な説明】
【００２３】
【図１】本考案の正面図である。
【図２】本考案のマガジン装置の分解斜視図である。
【図３】本考案のマガジン装置に最短の釘列を装填した時の断面図である。
【図４】本考案のマガジン装置に最長の釘列を装填した時の断面図である。
【図５】本考案の蓋板の別の実施例の斜視図である。
【図６】図１のＡ−Ａ断面図である。
【符号の説明】
【００２４】
１  マガジン装置            １１  左マガジン
１１ａ  溝                  １２  右マガジン
１２ａ  バネ溝              １３  小バネ
１４  押し棒                １４ａ  長溝
１４ｂ  溝口                １４ｃ  突出部
１５  長ピン                １６  板ピン
１７  底棒                  １８  磁石
２  銃形の空気圧押し出し機構
２１  案内板                ２１ａ  案内溝
２１ｂ  切欠き              ２１ｃ  釘溝
２２  蓋板                  ２２ａ  磁石
２３  パンチピン            ２３ａ  凸部
３  釘列                    ４  釘押し板
４１  凸片                  ４１ａ  長バネ
【図１】
0003101023.tif 000003
【図２】
0003101023.tif 000004
【図３】
0003101023.tif 000005
【図４】
0003101023.tif 000006
【図５】
0003101023.tif 000007
【図６】
0003101023.tif 000008